(57)【要約】      （修正有）【課題】手間や時間やコストをかけることなく、簡便に地形の変動状態を判定することが可能な地形変動判定方法を提供する。【解決手段】地形変動判定方法は、マイクロ波反射デバイスアレイを設置した観測対象ポイントと座標とを関連づけて記憶するデータベース準備ステップと、観測ＳＡＲ画像データ取得ステップ（Ｓ１０１）と、着目ポイント選択ステップ（Ｓ１０３）と、データベースを参照し、選択した着目ポイントの座標を取得する座標取得ステップ（Ｓ１０４）と、取得した座標に対する観測ＳＡＲ画像データ中のピクセルを特定するピクセル特定ステップ（Ｓ１０５）と、特定したピクセルの反射強度を算出する反射強度算出ステップ（Ｓ１０６）と、算出した反射強度に基づいて、着目ポイントにおける地形変動の有無を判定する判定ステップ（Ｓ１０７）と、を有する。【選択図】図６
2017166949.tif 000002
【特許請求の範囲】
【請求項１】
マイクロ波反射デバイスアレイを設置した観測対象ポイントと、当該ポイントの座標とを関連づけて記憶するデータベースを準備するデータベース準備ステップと、
観測されたＳＡＲ画像データを取得する観測ＳＡＲ画像データ取得ステップと、
着目するポイントを選択する着目ポイント選択ステップと、
前記データベース準備ステップで準備されたデータベースを参照し、前記着目ポイント選択ステップで選択された着目ポイントの座標を取得する座標取得ステップと、
前記座標取得ステップで取得された座標に対する、観測ＳＡＲ画像データ中のピクセルを特定するピクセル特定ステップと、
前記ピクセル特定ステップで特定されたピクセルの反射強度を算出する反射強度算出ステップと、
前記反射強度算出ステップで算出された反射強度に基づいて、着目ポイントにおける地形変動の有無を判定する判定ステップと、
を有することを特徴とする地形変動判定方法。
【請求項２】
前記マイクロ波反射デバイスアレイは、複数の単位マイクロ波反射デバイスからなることを特徴とする請求項１に記載の地形変動判定方法。
【請求項３】
前記マイクロ波反射デバイスアレイは、観測ＳＡＲ画像データにおいて所定の反射強度を有するピクセルとして現れることを特徴とする請求項１又は請求項２に記載の地形変動判定方法。
【請求項４】
前記請求項１乃至請求項３のいずれか１項に記載の地形変動判定方法を実行する地形変動判定システム。
【発明の詳細な説明】
【技術分野】
【０００１】
本発明は、合成開口レーダーを搭載した飛翔体から発射されるマイクロ波を反射するマイクロ波反射デバイスアレイを用いた地形変動判定方法、及びこのような地形変動判定方法を実行する地形変動判定システムに関する。
【背景技術】
【０００２】
ＡＬＯＳ２や航空機に搭載された合成開口レーダー（ＳＡＲ；Ｓｙｎｔｈｅｔｉｃ  Ａｐｅｒｔｕｒｅ  Ｒａｄａｒ）は、人工衛星や航空機などの飛翔体に搭載したデバイスから発射され、地表付近で散乱したマイクロ波を観測することにより、地表面の状態を調査するものである。合成開口レーダーで取得された観測ＳＡＲ画像データは、画像ピクセルの反射強度を用いた土地分類（森林、農耕地、水域、等）や二時期のデータを用いた干渉ＳＡＲによる変動量測定に用いられる。
【０００３】
例えば、特許文献１（特開２００４−３０９１７８号公報）には、飛翔体１６に搭載されている１台の合成開口レーダー１８から発射されるパルス状の電波の地表面反射波を合成開口干渉処理することにより地表面の変動量を求める方法であって、計測対象となる地表面１０に剛構造のタワー型基体２０を設け、一方の電波反射体１２ａは昇交軌道上の、他方の電波反射体１２ｂは降交軌道上の合成開口レーダー電波を反射するように設置して、昇交軌道及び降交軌道にて２回ずつ取得した反射波同士を合成開口干渉処理することで昇交軌道と降交軌道から測定対象地点までの距離をそれぞれ求め、更に地盤構造上特定される地表面の変動方向の条件を加えることで計測対象地点の過去位置からの実際の変動量を求めることが開示されている。
【特許文献１】特開２００４−３０９１７８号公報
【発明の概要】
【発明が解決しようとする課題】
【０００４】
特許文献１記載の技術によって地形変動を求めようとすると、干渉ＳＡＲ画像データの取得のために複数回のＳＡＲ観測を行う必要があり、手間や時間がかかる、という問題があった。さらに、特許文献１記載の技術では、電波反射体を装備した、剛構造を有するタワー型の基体を建設する必要があり、大きなコストを要する。このため、地表の移動量の精密な測定を行うには適しているが、広域の山地斜面に広く設置することは難しい、という問題があった。
【課題を解決するための手段】
【０００５】
この発明は、上記のような課題を解決するものであって、本発明に係る地形変動判定方法は、マイクロ波反射デバイスアレイを設置した観測対象ポイントと、当該ポイントの座標とを関連づけて記憶するデータベースを準備するデータベース準備ステップと、観測されたＳＡＲ画像データを取得する観測ＳＡＲ画像データ取得ステップと、着目するポイントを選択する着目ポイント選択ステップと、前記データベース準備ステップで準備されたデータベースを参照し、前記着目ポイント選択ステップで選択された着目ポイントの座標を取得する座標取得ステップと、前記座標取得ステップで取得された座標に対する、観測ＳＡＲ画像データ中のピクセルを特定するピクセル特定ステップと、前記ピクセル特定ステップで特定されたピクセルの反射強度を算出する反射強度算出ステップと、前記反射強度算出ステップで算出された反射強度に基づいて、着目ポイントにおける地形変動の有無を判定する判定ステップと、を有することを特徴とする。
【０００６】
また、本発明に係る地形変動判定方法は、前記マイクロ波反射デバイスアレイは、複数の単位マイクロ波反射デバイスからなることを特徴とする。
【０００７】
また、本発明に係る地形変動判定方法は、前記マイクロ波反射デバイスアレイは、観測ＳＡＲ画像データにおいて所定の反射強度を有するピクセルとして現れることを特徴とする。
【０００８】
また、本発明に係る地形変動判定システムは、前記いずれかに記載の地形変動判定方法を実行する地形変動判定システムである。
【発明の効果】
【０００９】
本発明に係る地形変動判定方法及び地形変動判定システムでは、広域の山地斜面などに広く設置することが可能なマイクロ波反射デバイスアレイを用いると共に、干渉ＳＡＲ画像データを取得する必要もなく、観測ＳＡＲ画像データを取得した直後に地形変動を判定することができるので、このような本発明に係る地形変動判定方法及び地形変動判定システムによれば、台風や豪雨、雪崩などの大規模な自然現象によって地滑りなどの地形変動が発生したか否か、さらに、地滑りなどの地形変動が発生した地点がどこであるかを、手間や時間やコストをかけることなく、迅速かつ簡便に地形の変動状態を判定することが可能となる。
【図面の簡単な説明】
【００１０】
【図１】本発明の実施形態に係る地形変動判定方法を実行するシステムを構成するコンピューターの一例を示す図である。
【図２】本発明の実施形態に係る地形変動判定方法で用いる単位マイクロ波反射デバイス１の一例を示す斜視図である。
【図３】本発明に係る地形変動判定方法の準備フローを示す図である。
【図４】観測対象ポイントに複数の単位マイクロ波反射デバイス１を配置しマイクロ波反射デバイスアレイ７とした様子を示す図である。
【図５】本発明の実施形態に係る地形変動判定方法で用いられるデータベース４０のデータ構成の一例を示す図である。
【図６】地形変動判定処理のフローチャートを示す図である。
【図７】地形変動判定処理のフローチャートにおけるデータ処理イメージを示す図である。
【図８】観測対象ポイントＡに設置された複数の単位マイクロ波反射デバイス１が地滑りにより散乱した状態を示す図である。
【発明を実施するための形態】
【００１１】
以下、本発明の実施の形態を図面を参照しつつ説明する。図１は本発明の実施形態に係る地形変動判定方法を実行するシステムを構成するコンピューターの一例を示す図である。
【００１２】
図１において、１０はシステムバス、１１はＣＰＵ（Ｃｅｎｔｒａｌ  Ｐｒｏｃｅｓｓｉｎｇ  Ｕｎｉｔ）、１２はＲＡＭ（Ｒａｎｄｏｍ  Ａｃｃｅｓｓ  Ｍｅｍｏｒｙ）、１３はＲＯＭ（Ｒｅａｄ  Ｏｎｌｙ  Ｍｅｍｏｒｙ）、１４は外部情報機器との通信を司る通信制御部、１５はキーボードコントローラなどの入力制御部、１６は出力制御部、１７は外部記憶装置制御部、１８はキーボード、ポインティングデバイス、マウスなどの入力機器からなる入力部、１９は印刷装置などの出力部、２０はＨＤＤ（Ｈａｒｄ  Ｄｉｓｋ  Ｄｒｉｖｅ）等の外部記憶装置、２１はグラフィック制御部、２２はディスプレイ装置をそれぞれ示している。
【００１３】
図１において、ＣＰＵ１１は、ＲＯＭ１３内のプログラム用ＲＯＭ、或いは、大容量の外部記憶装置２０に記憶されたプログラム等に応じて、外部機器と通信することでデータを検索・取得したり、また、図形、イメージ、文字、表等が混在した出力データの処理を実行したり、更に、外部記憶装置２０に格納されているデータベースの管理を実行したり、などといった演算処理を行うものである。
【００１４】
また、ＣＰＵ１１は、システムバス１０に接続される各デバイスを統括的に制御する。ＲＯＭ１３内のプログラム用ＲＯＭあるいは外部記憶装置２０には、ＣＰＵ１１の制御用の基本プログラムであるオペレーティングシステムプログラム（以下ＯＳ）等が記憶されている。また、ＲＯＭ１３あるいは外部記憶装置２０には出力データ処理等を行う際に使用される各種データが記憶されている。メインメモリーであるＲＡＭ１２は、ＣＰＵ１１の主メモリ、ワークエリア等として機能する。
【００１５】
入力制御部１５は、キーボードや不図示のポインティングデバイスからの入力部１８を制御する。また、出力制御部１６は、プリンタなどの出力部１９の出力制御を行う。
【００１６】
外部記憶装置制御部１７は、ブートプログラム、各種のアプリケーション、フォントデータ、ユーザーファイル、編集ファイル、プリンタドライバ等を記憶するＨＤＤ（Ｈａｒｄ  Ｄｉｓｋ  Ｄｒｉｖｅ）や、或いはフロッピーディスク（ＦＤ）等の外部記憶装置２０へのアクセスを制御する。本発明の地形変動判定方法を実現するシステムプログラムは、上記のような外部記憶装置２０に記憶されている。また、グラフィック制御部２１は、ディスプレイ装置２２に表示する情報を描画処理するための構成である。
【００１７】
また、通信制御部１４は、ネットワークを介して、外部機器と通信を制御するものであり、これによりシステムが必要とするデータを、インターネットやイントラネット上の外部機器が保有するデータベースから取得したり、外部機器に情報を送信したりすることができるように構成される。
【００１８】
外部記憶装置２０には、ＣＰＵ１１の制御プログラムであるオペレーティングシステムプログラム（以下ＯＳ）以外に、本発明の地形変動判定システムをＣＰＵ１１上で動作させるシステムプログラム、及びこのシステムプログラムで用いるデータなどがインストールされ保存・記憶されている。
【００１９】
本発明の地形変動判定方法を実現するシステムプログラムで利用されるデータとしては、基本的には外部記憶装置２０に保存されていることが想定されているが、場合によっては、これらのデータを、通信制御部１４を介してインターネットやイントラネット上の外部機器から取得するように構成することも可能である。また、本発明の地形変動判定方法を実現するシステムプログラムで利用されるデータを、ＵＳＢメモリやＣＤ、ＤＶＤなどの各種メディアから取得するように構成することもできる。
【００２０】
次に、以上のように構成されるコンピューターで実行することが可能な、本発明に係る地形変動判定方法をより詳細に説明する。
【００２１】
まず、本発明に係る地形変動判定方法において、観測対象となる箇所に実際に設置するマイクロ波の反射デバイスについて説明する。マイクロ波反射デバイスは、人工衛星や航空機などの飛翔体に搭載された合成開口レーダーから出射されるマイクロ波を反射するものである。
【００２２】
マイクロ波反射デバイスで反射されたマイクロ波は、合成開口レーダーによって得られる観測ＳＡＲ画像データの画像の一部に自然地形では通常生じない強さを持った輝点として写り込む。
【００２３】
本発明に係る地形変動判定方法においては、マイクロ波反射デバイスとして、複数の単位マイクロ波反射デバイス１をアレイ状に配置したマイクロ波反射デバイスアレイ７を用いることを基本としている。複数の単位マイクロ波反射デバイス１をアレイとして使用することにより、マイクロ波反射デバイスアレイ７は、合成開口レーダーで取得される観測ＳＡＲ画像データにおいて、自然地形では通常は生じない、所定の反射強度を有するピクセルとして現れるように調整される。マイクロ波反射デバイスアレイ７を構成する単位マイクロ波反射デバイス１の数は、地形変動を監視しようとする観測ポイントにおける地形の斜度（傾斜角度）、開空率（全天を１００とした時の空が占める割合）、植生の有無、植生の高さ等によって調整する。
【００２４】
ここで、観測ＳＡＲ画像データ上により強い反射強度を持った輝点を得るために、マイクロ波反射デバイスアレイ７を設置する敷地の大きさは、観測ＳＡＲ画像データの地上分解能と同等かそれよりも小さいほうが好ましい。
【００２５】
ここで、複数の単位マイクロ波反射デバイス１をアレイとして使用することにより、一つまたは複数の単位マイクロ波反射デバイス１が、生物による着巣や、落石による破壊等の、不測の理由によるマイクロ波反射能力の喪失が生じた場合でも、観測ＳＡＲ画像データ中の観測対象ポイントにおいて自然地形では通常は生じない、所定の反射強度を有するピクセルとして現れる限り、地形変動の有無を判定することができる。
【００２６】
ここで、地滑りなどの地形変動によってアレイ中の一個または数個の単位マイクロ波反射デバイス１が失われたり、土砂に埋没したり、破壊されたりしても、一つ以上の単位マイクロ波反射デバイス１が残存していれば、観測ＳＡＲ画像データにおいて自然地形では通常生じない十分に強い反射強度を有するピクセルが得られる可能性が高くなる。これにより、地形変動後も自然地形では通常生じない十分に強い反射強度を有するピクセルが得られる場合は、地形変動の向きや水平方向の変動量を推定することも可能である。
【００２７】
ここで、本発明に係る地形変動判定方法においては、マイクロ波反射デバイスとして、複数の単位マイクロ波反射デバイス１を用いることを一応基本とはしているが、１つの単位マイクロ波反射デバイス１を用いるようにすることもできる。図２に、あらゆる方向から照射されたマイクロ波を反射することを企図したマイクロ波反射デバイスの一例を挙げる。
【００２８】
図２は本発明の実施形態に係る地形変動判定方法で用いる単位マイクロ波反射デバイス１の一例を示す斜視図である。本発明に係る地形変動判定方法においては、図２に示す単位マイクロ波反射デバイス１以外に他の形態のものも用いることができる。
【００２９】
単位マイクロ波反射デバイス１は、アルミニウムなどの金属板などからなる、複数の反射板３によって構成されている。単位マイクロ波反射デバイス１は、３面の反射面を有するコーナーリフレクターが、８個組み合わされたような形状を有している。すなわち、単位マイクロ波反射デバイス１の上方においては４方に向いて開口している３面コーナーリフレクターが４個配され、下方においては４方に向いて開口している３面コーナーリフレクターが４個配されたような構造を有している。
【００３０】
上記のような単位マイクロ波反射デバイス１は、不図示の基台上に載置されるようにして、観測対象となる場所に複数設置される。また、単位マイクロ波反射デバイス１は、不図示の補強手段などによって、補強されることも好ましい形態である。このような補強手段としては、反射面と、当該反射面と隣接する反射面との間に筋交いを設けることが有効である。また、不図示のマイクロ波を透過するレドーム（覆い）によって雨や土、落ち葉、生物の着巣などによる単位マイクロ波反射デバイス１の汚損を防止することも好ましい設置形態である。
【００３１】
次に、上記のような単位マイクロ波反射デバイス１を観測対象となるポイントに実際に設置するなどして、本発明に係る地形変動判定方法を準備する工程について説明する。
【００３２】
図３は本発明に係る地形変動判定方法の準備フローを示す図である。このような準備フローは人手によって実行されるものである。
【００３３】
図３のステップＳ１０で、本発明に係る地形変動判定方法の準備フローが開始されると続いてステップＳ２０に進む。
【００３４】
ステップＳ２０では、観測ＳＡＲ画像データの少なくとも１つのピクセルにおいて、所定以上の反射強度が得られる個数の単位マイクロ波反射デバイス１を観測対象ポイントに設置する工程を実施する。本発明に係る地形変動判定方法においては、観測対象ポイントに、複数の単位マイクロ波反射デバイス１を設置して、これらからなるマイクロ波反射デバイスアレイ７を構成することが一つの特徴となっている。
【００３５】
図４は観測対象ポイントに複数の単位マイクロ波反射デバイス１を配置しマイクロ波反射デバイスアレイ７とした様子を示す図である。図４に示す観測対象ポイントの例では、山の斜面に４つの単位マイクロ波反射デバイス１からなるマイクロ波反射デバイスアレイ７を配置している。ここで、マイクロ波反射デバイスアレイ７を構成するための単位マイクロ波反射デバイス１の数は任意である。ただし、マイクロ波反射デバイスアレイ７は、合成開口レーダーで取得される観測ＳＡＲ画像データ中の１つのピクセルにおいて、マイクロ波の反射強度値が所定以上となるような数の単位マイクロ波反射デバイス１で構成する。
【００３６】
ステップＳ３０では、全ての観測ポイントについて、マイクロ波反射デバイスアレイ７を設置したか否かを判定する。この判定がＮＯであればステップＳ５０に進み、次の観測対象ポイントに着目する。続いてステップＳ１０に戻り、マイクロ波反射デバイスアレイ７の設置を行う。一方、ステップＳ３０の判定がＹＥＳであればステップＳ４０に進む。
【００３７】
ステップＳ４０では、観測対象ポイントと、その緯度、経度を対応づけて記憶したデータベース４０を構築する。経度、緯度はＧＮＳＳ（Ｇｌｏｂａｌ  Ｎａｖｉｇａｔｉｏｎ  Ｓａｔｅｌｌｉｔｅ  Ｓｙｓｔｅｍ）やトータルステーションなどによって計測する。この他、地形変動の推定に資する以下の諸情報を追加してもよい。例えば、マイクロ波反射デバイスアレイ７を構成するために用いた単位マイクロ波反射デバイス１の個数データと、観測対象ポイントの諸条件として設置した地形の斜度（傾斜角）と、開空率（全天を１００とした時の空が占める割合）と、植生の有無と、空を覆う樹高の高い植生の種類とその高さ、が挙げられる。図５はこのようなデータベース４０のデータ構成の一例を示す図である。ここに挙げる他に、単位マイクロ波反射デバイスの製造年月日、製造者、コーナーリフレクター開口面積、前回の観測ＳＡＲ画像データの観測結果など、マイクロ波反射デバイスアレイ７および観測対象ポイントを維持・管理するために有益な情報をデータベースに追加してもよい。
【００３８】
図５に示す例では、観測対象ポイントであるＡ、Ｂ、Ｃ、Ｄ、・・・にマイクロ波反射デバイスアレイ７を設置する例を示している。それぞれのポイントにおいて、座標データとなるＧＮＳＳデータと、マイクロ波反射デバイスアレイ７を構成するために用いた単位マイクロ波反射デバイス１の数のデータとが関連づけられデータ化されている。
【００３９】
なお、本実施形態では、ＧＮＳＳデータとして緯度、経度からなる座標データを用いるようにしたが、他の基準の座標データを用いるようにしてもよい。また、データベース４０には、その他のデータ−例えば、ポイントの地名などのデータ−を関連づけて、格納するようにしてもよい。この他、ステップＳ４０の説明で挙げた関連項目の情報も含めることができる。
【００４０】
ステップＳ４０で準備されたデータベース４０は、外部記憶装置２０に記憶され、本発明に係る地形変動判定処理に用いる。
【００４１】
ステップＳ６０で、本発明に係る地形変動判定方法の準備フローが終了する。
【００４２】
次に、以上のような準備フローを経て実行される、本発明に係る地形変動判定処理について説明する。図６は地形変動判定処理のフローチャートを示す図である。このようなフローチャートは、例えば図１に示されるコンピューターによって実行されるものである。
【００４３】
また、図７は地形変動判定処理のフローチャートにおけるデータ処理イメージを示す図である。図７では着目ポイントとしてポイントＡが選定された場合における、ステップＳ１０３、Ｓ１０４、Ｓ１０５、Ｓ１０６でのデータ処理イメージを例示している。
【００４４】
図６において、ステップＳ１００で変動判定処理が開始されると、ステップＳ１０１に進み、合成開口レーダーで取得される観測ＳＡＲ画像データの読み込みが実行される。続くステップＳ１０２では、データベース４０の読み込みが実行される。
【００４５】
ステップＳ１０３では、地形変動判定処理を行おうとする個別の着目ポイントが選定される。（図７参照。）
次にステップＳ１０４では、データベース４０を参照して、選定された着目ポイントの座標データを取得し、続くステップＳ１０５では、当該座標データに対応する観測ＳＡＲ画像データ中のピクセルを特定し、次のステップＳ１０６で、当該ピクセルの反射強度を算出する。ピクセルの反射強度の算出にあたっては、当該ピクセルが持つ反射強度データを参照することにより求めることができる。（いずれのステップも図７参照。）
ここで、ステップＳ１０５では、観測ＳＡＲ画像データ自身のもつ誤差（ピクセルの位置のズレ）を考慮するため、ステップＳ１０４で取得した着目ポイントの座標データを中心として半径５ピクセル程度の範囲内に存在するすべてのピクセルの反射強度を算出する。反射強度を算出する範囲の設定は、使用する観測ＳＡＲ画像の地上分解能や性能によって調整する。観測ポイントの座標と、豪雨や地滑り、雪崩等の地形変化の発生していないことが明らかなＳＡＲ観測日の観測ＳＡＲ画像データから得られる観測ポイントの座標とを比較することで、反射強度を算出する範囲の参考値が得られる。
【００４６】
ステップＳ１０７では、算出された反射強度が予め定められた所定値以上であるか否かが判定される。
【００４７】
ステップＳ１０７における判定結果がＹＥＳであるときには、マイクロ波反射デバイスアレイ７は設置初期と変わらないものと考えられるので、ステップＳ１１０に進み、着目ポイントの地形変動は無いものと判定する。
【００４８】
一方、ステップＳ１０７における判定結果がＮＯであるときには、マイクロ波反射デバイスアレイ７は設置初期から何かしらの変動があったものと考えられるので、ステップＳ１０８に進み、着目ポイントの地形変動が有るものと判定する。着目ポイントの地形変動が有るものと判定された場合は、該当ポイントの観測ＳＡＲ画像データをグラフィックとして表示したり、出力装置（出力部１９）によって印刷したり、通信装置（通信制御部１４）によって通知したりすることができる。
【００４９】
図８は観測対象ポイントＡに設置された複数の単位マイクロ波反射デバイス１が地滑り等の地形変化により散乱した状態を示す図である。マイクロ波反射デバイスアレイ７を構成する個々の単位マイクロ波反射デバイス１が図８に示すような状態となると、観測ＳＡＲ画像データ中の該当ピクセルで、所定の反射強度を得ることができなくなる。これにより、ステップＳ１０８のような判定を行うことが可能となる。不図示だが、単位マイクロ波反射デバイス１が地滑り等の地形変化によって埋没したり、破壊されたり、失われたりしても図８の状態と同様に、観測ＳＡＲ画像データ中の該当ピクセルで、所定の反射強度を得ることができなくなる。
【００５０】
ステップＳ１０９では、全ての着目ポイントについて処理が実行されたか否かが判定される。ステップＳ１０９での判定がＮＯであるときには、ステップＳ１１１に進み、次の着目ポイントを選定し、ステップＳ１０４に戻る。一方、ステップＳ１０９での判定がＹＥＳであるときには、ステップＳ１１２に進み、変動判定処理を終了する。
【００５１】
以上、本発明に係る地形変動判定方法及び地形変動判定システムでは、広域の山地斜面などに広く設置することが可能なマイクロ波反射デバイスアレイ７を用いると共に、干渉ＳＡＲ画像データを取得する必要もなく、観測ＳＡＲ画像データを取得した直後に地形変動を判定することができるので、このような本発明に係る地形変動判定方法及び地形変動判定システムによれば、台風や豪雨、雪崩などの大規模な自然現象によって地滑りなどの地形変動が発生したか否か、さらに、地滑りなどの地形変動が発生した地点がどこであるかを、手間や時間やコストをかけることなく、迅速かつ簡便に地形の変動状態を判定することが可能となる。
【符号の説明】
【００５２】
１・・・単位マイクロ波反射デバイス
３・・・反射板
７・・・マイクロ波反射デバイスアレイ
１０・・・システムバス
１１・・・ＣＰＵ（Ｃｅｎｔｒａｌ  Ｐｒｏｃｅｓｓｉｎｇ  Ｕｎｉｔ）
１２・・・ＲＡＭ（Ｒａｎｄｏｍ  Ａｃｃｅｓｓ  Ｍｅｍｏｒｙ）
１３・・・ＲＯＭ（Ｒｅａｄ  Ｏｎｌｙ  Ｍｅｍｏｒｙ）
１４・・・通信制御部
１５・・・入力制御部
１６・・・出力制御部
１７・・・外部記憶装置制御部
１８・・・入力部
１９・・・出力部
２０・・・外部記憶装置
２１・・・グラフィック制御部
２２・・・ディスプレイ装置
４０・・・データベース
【図１】
2017166949.tif 000003
【図２】
2017166949.tif 000004
【図３】
2017166949.tif 000005
【図４】
2017166949.tif 000006
【図５】
2017166949.tif 000007
【図６】
2017166949.tif 000008
【図７】
2017166949.tif 000009
【図８】
2017166949.tif 000010